(57)【要約】【課題】つららがファンガードへ進入し、プロペラファンに干渉することを、送風性能への影響や、コストアップを抑えながら防止する。【解決手段】室外機本体３の前面に設けたファンガード７の上方に前方へと延伸した板状のカバー部９を設けた構成としてある。これにより、カバー部９が、積雪やつららを受け止め、室外機の前面よりせり出しているファンガード７へつららが進入することを防ぐことができ、つららがプロペラファンを破壊することを防止できる。しかもカバー部はファンガードの上方に位置していてファンガードの通風抵抗となることもなく、かつ、室外機本体に設けてあるので屋根部品等の別部品を別途必要とすることもなく、送風性能への影響を抑えつつ安価な構成で、つららがファンガードへ進入することを防止することが可能となる。【選択図】図２
2015001357.tif 000002
【特許請求の範囲】
【請求項１】
室外機本体と、前記室外機本体に設けた熱交換器と、前記熱交換器に風を供給するプロペラファンと、前記プロペラファンの前方であって、前記室外機本体の前面よりせり出すように格子状の桟で構成したファンガードとを備えた空気調和機であって、前記室外機本体に当該室外機本体の天板に沿って前方へと延伸した板状のカバー部を設けたことを特徴とする空気調和機。
【請求項２】
カバー部は室外機本体の天板の一部に一体形成した請求項１記載の空気調和機。
【請求項３】
カバー部は、その横幅と奥行き寸法が、ファンガードの直径と奥行き寸法より大きいことを特徴とした請求項１または２に記載の空気調和機。
【発明の詳細な説明】
【技術分野】
【０００１】
本発明は、寒冷地にて使用される空気調和機、特にその室外機の構成に関するものである。
【背景技術】
【０００２】
従来、空気調和機の室外機は、寒冷地方では、室外機の天板の上に、別部品で屋根を設置するなどして、積雪を防止する場合が多い。
【０００３】
その理由として、積雪がつららとなり室外機の吹き出し口に進入すると、プロペラファンと干渉し、最悪の場合、プロペラファンが破壊することが懸念されるためである。
【０００４】
そこで、従来、室外機の上に架台を組んで屋根を設けることが提案されている（例えば、特許文献１参照）。
【先行技術文献】
【特許文献】
【０００５】
【特許文献１】特開２００６−１４５０９１号公報
【発明の概要】
【発明が解決しようとする課題】
【０００６】
しかしながら、前記特許文献１の構成では、空気調和機とは別に追加部品として屋根部品が必要となり、しかも室外機設置後に屋根を組み立てる必要がある等コスト面で課題を有していた。
【０００７】
本発明はこのような課題に鑑みてなしたもので、積雪により、つららがファンガードへ進入し、プロペラファンに干渉することを、送風性能への影響や、コストアップを抑えながら防止することを目的としたものである。
【課題を解決するための手段】
【０００８】
前記従来の課題を解決するために、本発明は、室外機本体と、前記室外機本体に設けた熱交換器と、前記熱交換器に風を供給するプロペラファンと、前記プロペラファンの前方であって前記室外機本体の前面よりせり出すように格子状の桟で構成したファンガードとを備えた空気調和機であって、前記室外機本体に当該室外機本体の天板に沿って前方へと延伸した板状のカバー部を設けた構成としてある。
【０００９】
これにより、室外機の天板に沿って前方へ延伸したカバー部が、積雪やつららを受け止め、室外機の前面よりせり出すように格子状の桟で構成したファンガードへ、つららが進入することを防ぐことができ、つららがプロペラファンに干渉し、プロペラファンが破壊することを防止できる。しかもカバー部はファンガードの上方に位置していてファンガードの通風抵抗となることもなく、かつ、室外機本体に設けてあるので屋根部品等の別部品を別途必要とすることもなく、送風性能への影響を抑えつつ安価な構成で、つららがファンガードへ進入することを防止することが可能となる。
【発明の効果】
【００１０】
本発明は、送風性能への影響を抑えつつ安価な構成でつららがファンガードへ進入することを防止することができる。
【図面の簡単な説明】
【００１１】
【図１】本発明の実施の形態１における空気調和機の室外機を示す斜視図
【図２】同図１のＡ−Ａ線断面図
【図３】本発明の実施の形態２における空気調和機の室外機を示す斜視図
【図４】本発明の実施の形態３における空気調和機の室外機を示す斜視図
【発明を実施するための形態】
【００１２】
第１の発明は、室外機本体と、前記室外機本体に設けた熱交換器と、前記熱交換器に風を供給するプロペラファンと、前記プロペラファンの前方であって前記室外機本体の前面よりせり出すように格子状の桟で構成したファンガードとを備えた空気調和機であって、前記室外機本体に当該室外機本体の天板に沿って前方へと延伸した板状のカバー部を設けた構成としてある。
【００１３】
これにより、室外機の天板に沿って前方へ延伸したカバー部が、積雪やつららを受け止め、室外機の前面よりせり出している格子状の桟で構成したファンガードへ、つららが進入することを防ぐことができ、つららがプロペラファンに干渉し、プロペラファンが破壊することを防止できる。しかもカバー部はファンガードの上方に位置していてファンガードの通風抵抗となることもなく、かつ、室外機本体に設けてあるので屋根部品等の別部品を別途必要とすることもなく、送風性能への影響を抑えつつ安価な構成で、つららがファンガードへ進入することを防止することができる。
【００１４】
また、第２の発明は、第１の発明において、カバー部は室外機本体の天板の一部に一体形成した構成としてあり、これにより前記第１の発明の効果を備えつつ、天板一つの部品で延伸したカバー部を形成することが可能となり、コスト抑制効果の高いものとすることができる。
【００１５】
更に、第３の発明は、第１または第２の発明において、カバー部は、その横幅と奥行き寸法が、ファンガードの直径と奥行き寸法より大きい構成としてあり、これによりつららがファンガードへ進入することをより確実に防止することができる。
【００１６】
以下、本発明の実施の形態について、図面を参照しながら説明する。なお、この実施の形態によって本発明が限定されるものではない。
【００１７】
（実施の形態１）
図１は本発明の実施の形態１における空気調和機の室外機を示す斜視図、図２は同図１のＡ−Ａ線断面である。
【００１８】
図１、図２において、１は熱交換用冷媒等が流れる熱交換器、２はこの熱交換器１に風を供給するプロペラファン、３は前記熱交換器１及びプロペラファン２を有する室外機本体、４は室外機本体３に設けた圧縮機、５は圧縮機４とプロペラファン２との間を仕切る仕切板である。
【００１９】
前記室外機本体３は、前記プロペラファン２の前方であって、前記室外機本体３の前面６よりせり出すように格子状の桟で構成したファンガード７を備えている。そして、当該室外機本体３はその天板８に沿って前方へと延伸した板状のカバー部９が設けてある。
上記構成において、プロペラファン２が回転すると空気の流れが発生し、室外機本体３の外から熱交換器１を通過する風が発生する。熱交換器１では熱交換器１内を流れる冷媒と熱交換が行われ、ファンガード７を通過して室外機の外へ放出される。
【００２０】
ファンガード７は、人がプロペラファン２に触れないように安全のために備えられてお
り、格子状の桟で構成し、かつ、前面にせり出して設けることで、風の通過する表面積を増し、通風抵抗を減らしている。
【００２１】
ここで、上記室外機本体３はその天板８に沿って、前方へ延伸した板状のカバー部９が設けてあるから、この板状に前方へ延伸したカバー部９が、積雪やつららを受け止める。したがって、室外機の前面６よりせり出している格子状の桟で構成された円筒状のファンガード７へ、つららが進入することを防ぐことができ、つららがプロペラファン２に干渉し、プロペラファン２が破壊することを防止できる。
【００２２】
また、カバー部９はファンガード７の上方にファンガード７より離れて位置していてファンガード７の通風抵抗となることがなく、かつ、室外機本体３に設けてあるので屋根部品等の別部品を別途必要とすることもない。よって、送風性能への影響を抑えつつ安価な構成で、つららがファンガード７へ進入することを防止することができる。
【００２３】
（実施の形態２）
図３は実施の形態２における空気調和機の室外機を示し、この実施の形態ではカバー部９を室外機本体３の天板８に一体形成してある。例えばカバー部９は天板８の一部をプレス加工などで搾り出し加工して板状に前方へ延伸し形成してある。
【００２４】
この構成によれば、実施の形態１で説明した効果に加え、天板一つの部品で延伸したカバー部９を形成することが可能となり、コスト抑制効果が更に向上する。
【００２５】
（実施の形態３）
図４は実施の形態３における空気調和機の室外機を示し、この実施の形態では、カバー部９の横幅Ｌと奥行き寸法Ｍを、前記ファンガード７の直径ΦＤと奥行き寸法Ｅより大きく構成してある。
【００２６】
この構成によれば、つららがファンガード７へ進入することをより確実に防止することが可能となる。すなわち、室外機本体３の天板８から前方へ延伸したカバー部９により受け止めた積雪は、融解し再び凍結することでつららとなり、重力と同一方向に成長するが、カバー部９はファンガード７の直径ΦＤと奥行き寸法Ｅより大きいので前記つららがファンガード７へ進入することを確実に防止することが可能となるのである。
【００２７】
以上説明してきたように本発明は、送風性能への影響を抑えつつ安価な構成でつららがファンガードへ進入することを防止できるようにした、というものであるが、本発明の目的を達成する範囲で種々変更可能であることは言うまでもない。
【００２８】
例えば、カバー部９は室外機本体３の天板８に一体形成したものを例示したが、これは天板８とは別に形成して、当該天板８の下面に前後方向にスライド自在に設け、室外機設置時に天板８下面より引き出してファンガード７をカバーするようにしてもよく、このようにすればカバー部９のセットも引き出しだけで簡単に行うことができると同時に、梱包時にはカバー部９を天板８の下面に収納してコンパクト化できるので梱包コストの抑制も実現でき、効果的である。
【産業上の利用可能性】
【００２９】
以上のように、本発明にかかる空気調和機は、送風性能への影響を抑えつつ安価な構成でつららがファンガードへ進入することを防止することができ、積雪をともなう地方で利用される空気調和機やヒートポンプ給湯機等の各種冷凍機器の室外機として幅広く適用可能である。
【符号の説明】
【００３０】
１  熱交換器
２  プロペラファン
３  室外機本体
４  圧縮機
５  仕切板
６  前面
７  ファンガード
８  天板
９  カバー部
【図１】
2015001357.tif 000003
【図２】
2015001357.tif 000004
【図３】
2015001357.tif 000005
【図４】
2015001357.tif 000006